(57)【要約】【課題】調理庫のグリル扉体を開けて被調理物を引き出すことなく被調理物の調理状態を確認できる使い勝手のよい加熱調理器を得ること。【解決手段】天面に配置され、光透過性を備えた非磁性体からなるトッププレート２と、トッププレートの下方に配設された複数の誘導加熱手段１２と、複数の加熱手段の下方に配置され、内部に被調理物を収納する調理庫６と、調理庫内に離れて配置される２つの上部、下部加熱手段１５、１６と、調理庫の前側開口に開閉自在に取り付けられたグリル扉体７と、誘導加熱手段及び加熱手段を動作させるよう入力する操作手段８と、誘導加熱手段及び加熱手段の出力を制御する制御手段１４とを備え、調理庫内の被調理物を撮影する撮影手段２１を備え、トッププレートに表示窓１０を設け、表示窓の直下に撮影手段が撮影した画像を表示する表示手段１１を設けるようにしたものである。【選択図】図１
2010040441.tif 000002
【特許請求の範囲】
【請求項１】
天面に配置され、被調理物を入れた容器が載置可能な、光透過性を備えた非磁性体からなるトッププレートと、該トッププレートの下方に配設された複数の誘導加熱手段と、これら複数の加熱手段の下方に配置され、前側に開口するように構成され、内部に被調理物を収納する調理庫と、該調理庫内に離れて配置される２つ以上の加熱手段と、調理庫の前側開口に開閉自在に取り付けられたグリル扉体と、前記誘導加熱手段及び前記加熱手段を動作させるよう入力する操作手段と、前記誘導加熱手段及び前記加熱手段の出力を制御する制御手段とを備えた加熱調理器であって、
前記調理庫内の被調理物を撮影する撮影手段を備え、前記トッププレートに表示窓を設け、該表示窓の直下に前記撮影手段が撮影した画像を表示する表示手段を設けたことを特徴とする加熱調理器。
【請求項２】
前記撮影手段は前記グリル扉体に設けられていることを特徴とする請求項１記載の加熱調理器。
【請求項３】
前記グリル扉体に前記調理庫内を撮像することができるレンズ体とレンズ体が撮像した画像を伝送する光伝送体とからなる画像伝送手段を設け、前記撮影手段は前記前面操作部に設けられ、該撮影手段はグリル扉体が閉のときに、前記画像伝送手段の光伝送体の端部を撮影可能とするようにしたことを特徴とする請求項１記載の加熱調理器。
【請求項４】
前記撮影手段は前記調理庫の天面部に設け、前記調理庫の天面部に前記撮影手段を覆う光透過性の耐熱ガラスを設けたことを特徴とする請求項１記載の加熱調理器。
【請求項５】
前記調理庫天面の庫内側に鏡体を設けたことを特徴とする請求項２又は３記載の加熱調理器。
【請求項６】
前記調理庫天面の庫内側に前記鏡体を遮蔽自在とするよう回動自在に鏡体遮蔽手段を設け、前記調理庫天面の庫内側に前記鏡体遮蔽手段を回動させる鏡体回動手段を設け、
前記制御手段は、前記撮影手段及び前記表示手段が動作させられている場合に前記鏡体回動手段が前記鏡体遮蔽手段が前記鏡体を遮蔽しないように回動動作させることを特徴とする請求項５記載の加熱調理器。
【請求項７】
前記調理庫天面の庫内側に前記耐熱ガラスを遮蔽自在とするよう回動自在にガラス遮蔽手段を設け、前記調理庫天面の庫内側に前記ガラス遮蔽手段を回動させるガラス回動手段を設け、
前記制御手段は、前記撮影手段及び前記表示手段が動作させられている場合に前記ガラス回動手段が前記ガラス遮蔽手段を前記ガラスを遮蔽しないように回動動作させることを特徴とする請求項４記載の加熱調理器。
【請求項８】
前記調理庫内を照らす照明手段を備えたことを特徴とする請求項１〜７のいずれかに記載の加熱調理器。
【請求項９】
前記制御手段は前記操作手段からの信号に基づいて前記照明手段を点灯させることを特徴とする請求項８記載の加熱調理器。
【請求項１０】
前記制御手段は前記操作手段からの信号に基づいて前記撮影手段及び前記表示手段を動作させることを特徴とする請求項１〜７のいずれかに記載の加熱調理器。
【請求項１１】
前記制御手段は前記操作手段からの信号に基づいて前記撮影手段及び前記表示手段を動作させると共にそれと連動して前記照明手段を点灯させることを特徴とする請求項１〜８記載の加熱調理器。
【発明の詳細な説明】
【技術分野】
【０００１】
本発明は、複数の加熱手段を具備する加熱調理器、詳しくは加熱手段の１つである調理庫の被調理物の焼け具合を確認することができる加熱調理器に関するものである。
【背景技術】
【０００２】
従来、調理庫を具備した加熱調理器で、器体上面に覗き窓を設け、被調理物の焼け具合を確認可能とし、覗き窓の汚れ防止手段を設けたものとしてガスグリル付きテーブルこんろが知られている（例えば、特許文献１参照）。
また、調理庫を具備した加熱調理器で、器体上面に除き窓を設け、被調理物の焼け具合を確認可能とし、覗き窓の汚れ防止手段を設け、汚れ防止手段の開閉に合わせて照明手段の点灯、消灯を連動させるようにしたものとしてガスグリル付きテーブルこんろが知られている（例えば特許文献２参照）。
【０００３】
【特許文献１】特開２０００−３００４４２号公報（第１頁、図１）
【特許文献２】特開２００２−０２２１８６号公報（第１頁、図１）
【発明の開示】
【発明が解決しようとする課題】
【０００４】
また、誘導加熱コイル等の誘導加熱手段を有する加熱調理器では、ガスグリル付きテーブルこんろのように調理庫の上部が開放されておらず、調理庫の上部に誘導加熱コイル等の誘導加熱手段が配置される構成となっており、被調理物を載置した上部に覗き窓を設けることは困難であり、グリル扉体を開け、被調理物を引き出して調理状態を確認する必要があった。
しかし、グリル扉体を開け被調理物を引き出して調理状態を確認すると、加熱手段がガスグリルとは異なり、電熱ヒーターを用いている調理庫内の温度や被調理物の温度が低下してしまい、調理時間が延びたり、出来具合に影響を与えたりすることがあった。
【０００５】
本発明は、かかる従来の課題を解決するためのもので、調理庫のグリル扉体を開け被調理物を引き出すことなく被調理物の調理状態を確認できる使い勝手の良い加熱調理器を提供することを目的とする。
【課題を解決するための手段】
【０００６】
本発明の加熱調理器は、天面に配置され、被調理物を入れた容器が載置可能な、光透過性を備えた非磁性体からなるトッププレートと、該トッププレートの下方に配設された複数の誘導加熱手段と、これら複数の加熱手段の下方に配置され、前側を開口するように構成され、内部に被調理物を収納する調理庫と、該調理庫内に離れて配置される２つ以上の加熱手段と、調理庫の前側開口に開閉自在に取り付けられたグリル扉体と、前記誘導加熱手段及び前記加熱手段を動作させるよう入力する操作手段と、前記誘導加熱手段及び前記加熱手段の出力を制御する制御手段とを備えた加熱調理器であって、前記調理庫内の被調理物を撮影する撮影手段を備え、前記トッププレートに表示窓を設け、該表示窓の直下に前記撮影手段が撮影した画像を表示する表示手段を設けるようにしたものである。
【発明の効果】
【０００７】
本発明の加熱調理器においては、調理庫内の被調理物を撮影する撮影手段を備え、トッププレートに表示窓を設け、該表示窓の直下に撮影手段が撮影した画像を表示する表示手段を設けるようにしたので、調理庫のグリル扉体を開けて被調理物を引き出すことなく被調理物の調理状態を確認でき、調理時間の延長や短縮の操作が行え、調理の出来具合に対する使用者の不満を減らすことができ、調理の出来具合に影響が少ない使い勝手の良い加熱調理器を得ることができるという効果がある。
【発明を実施するための最良の形態】
【０００８】
実施の形態１．
図１は本発明の実施の形態１の加熱調理器の全体構成を示す斜視図、図２は同加熱調理器の全体構成を示す右断面図、図３は同加熱調理器のグリル扉体を閉じた状態の右断面図、図４は同加熱調理器の表示窓の部分の断面図、図５は同加熱調理器の電気的構成を示すブロック図である。
図１に示すように、本発明の実施の形態１の加熱調理器は、加熱調理器本体１の天面に被加熱物を収容した容器（図示せず）を載置可能な、光透過性を備えた非磁性体、例えば結晶化ガラスからなるトッププレート２を備えている。
このトッププレート２には後述の表示手段１１の表示内容を透過して表示する表示窓１０を備えていて、トッププレート２の外周にはシリコン系接着剤で固着された金属、例えばステンレスで構成された枠体１７に、シート状に構成された各種入力を行う上面操作部１８を備えている。
【０００９】
また、加熱調理器本体１内に被調理物３を載置したグリル網４を配置したグリル皿５を収容可能な調理庫６を備え、調理庫６の前方に、例えば撮影した画像を無線信号として送信する撮影手段１２を備えて開閉可能に支持されたグリル扉体７を備え、各種入力を行う前面操作部８を備え、排気口を覆う排気口カバー９を備えている。
【００１０】
また、図２に示すように、トッププレート２の直下には、例えば３つの誘導加熱コイル等の誘導加熱手段１３を配置し、誘導加熱手段１３と調理庫６の間の空間にマイコンやその他電子部品を搭載した制御基板からなり、前面操作部８と上面操作部１７からの入力により加熱調理器を制御する制御手段１４が配置されている。
【００１１】
調理庫６の内部には、調理庫６の天面近傍に保持された、例えばシーズヒーターからなる上部加熱手段１５と、調理庫６の底面近傍に保持された、例えばシーズヒーターからなる下部加熱手段１６と、調理庫６内の温度を検知する温度検知手段１９とを備えている。
また、図３に示すように、グリル扉体７を閉じると、グリル網４に載置された被調理物３が上部加熱手段１５と下部加熱手段１６の間に収容される。
さらに、図４に示すように、トッププレート２の表示窓１０の直下には、表示手段である液晶表示手段１１が配設されている。
この液晶表示手段１１は、撮影手段１２からの撮影した画像の無線信号を制御手段１４を介して受信して画像を表示するための液晶表示本体１１ａと、液晶表示本体１１ａの出力する信号により画像表示する液晶表示面１１ｂと、液晶表示本体１１ａ及び液晶表示面１１ｂを収容保持する液晶表示外周枠１１ｃとから構成されている。
【００１２】
次に、本発明の実施の形態１の加熱調理器の電気的構成について図５に基づいて説明する。
制御手段１４はＣＰＵ１０１と記憶部１０２とを有し、制御手段１４には前面操作部８と上面操作部１７と温度検知手段１９と撮影手段１２等の各信号が入力される。
また、制御手段１４は、加熱手段１３を駆動するインバータ回路１０３と、上部加熱手段１５を駆動するヒータ駆動回路１０４と、下部加熱手段１６を駆動するヒータ駆動回路１０５と、液晶表示手段１１を駆動するＬＣＤ駆動回路１０６とに各種指令を出力する。
【００１３】
以上のように構成された本発明の実施の形態１の加熱調理器の動作について説明する。
前面操作部８又は上面操作部１８が操作され、前面操作部８又は上面操作部１８から調理庫６を加熱する操作信号が制御手段１４に入力されると、制御手段１４はヒータ駆動回路１０４、１０５に指令信号を出力し、ヒータ駆動回路１０４は上部加熱手段１５を駆動すると共にヒータ駆動回路１０５は下部加熱手段１６を駆動し、調理庫６内の上部加熱手段１５と下部加熱手段１６とによる加熱が開始される。
そうすると、調理庫６内の温度が上昇し被調理物３の調理が始まる。
【００１４】
調理が開始された後、前面操作部８または上面操作部１８に設けられた、例えば調理確認キー（図示省略）による操作信号が制御手段１４に入力されると、制御手段１４は撮影手段１２を作動させ、撮影手段１２が調理庫６内に収容された被調理物３を撮影し、撮影手段１２の撮影画像の無線信号は制御手段１４に送られ、制御手段１４は受信して画像信号をＬＣＤ駆動回路１０６に送り、ＬＣＤ駆動回路１０６は液晶表示手段１１に被調理物３の画像を表示させ、その画像を表示窓１０から見ることができるので、被調理物３の調理状態を確認でき、それによって調理時間の延長や短縮の操作が行え、調理の出来具合に対する使用者の不満を減らすことができ、調理の出来具合に影響を与えない使い勝手の良い加熱調理器を得ることができる。
【００１５】
なお、本実施の形態１では、上面操作部１８をトッププレート２の外周の枠体１７にシート状に構成したが、トッププレート２上に静電型タイプのタッチスイッチで構成してもよい。それから、上面操作部１８と前面操作部８を設けてあるが、上面操作部１８だけでも良い。
【００１６】
実施の形態２．
図６は本発明の実施の形態２の加熱調理器の全体構成を示す斜視図である。
図６において、実施の形態１と同様の構成は同一符号を付して重複した構成の説明を省略し、実施の形態１と相違する構成について説明する。
この実施の形態２は、実施の形態１と撮影手段の構成が異なるものである。
この実施の形態２では、グリル扉体７に、調理庫６内を撮像することができるレンズ体とレンズ体が撮像した画像を伝送する光ファイバーのような光伝送体とからなる画像伝送手段２０が設けられている。
この画像伝送手段２０の光伝送体の端部はグリル扉体７の図６において右端部まで延びている。
また、前面操作部８に撮影手段２１が設けられており、グリル扉体７が閉められたときに、画像伝送手段２０の光伝送体の端部を撮影手段２１が撮影できるように配置されている。
さらに、前面操作部８に設けられた撮影手段２１の出力側は制御手段１４に無線ではなく有線で接続されている。
【００１７】
従って、この実施の形態２では、実施の形態１と同様に、グリル扉体７が閉められて調理庫６内の上部加熱手段１５と下部加熱手段１６とによる加熱が開始され、調理庫６内の温度が上昇し被調理物３の調理が始まる。
そして、調理が開始された後、前面操作部８または上面操作部１８に設けられた、例えば調理確認キー（図示省略）による操作信号が制御手段１４に入力されると、制御手段１４は撮影手段２１を作動させ、撮影手段２１がグリル扉体７に設けた映像伝送手段２０を通して調理庫６内に収容された被調理物３を撮影し、撮影手段２１の撮影画像の信号は制御手段１４に送られ、制御手段１４は受信して画像信号をＬＣＤ駆動回路１０６に送り、ＬＣＤ駆動回路１０６は液晶表示手段１１に被調理物３の画像を表示させ、その画像を表示窓１０から見ることができるので、被調理物３の調理状態を確認でき、それによって調理時間の延長や短縮の操作が行え、調理の出来具合に対する使用者の不満を減らすことができ、調理の出来具合に影響を与えない使い勝手の良い加熱調理器を得ることができる。
【００１８】
実施の形態３．
図７は本発明の実施の形態３の加熱調理器のグリル扉体を閉じた状態の右断面図である。
図７において、実施の形態１と同様の構成は同一符号を付して重複した構成の説明を省略し、実施の形態１と相違する構成について説明する。
この実施の形態３は、実施の形態１を改良したものである。
この実施の形態３では、実施の形態１と同様にグリル扉体７に撮影手段１２を設けているが、さらに調理庫６の天面内側に鏡体２２を設け、調理庫６の天面外側に庫内照明２３を設け、庫内照明２３の下になる調理庫６の天面部分には複数の小孔を開け、光が透過するようにしたものである。
【００１９】
この実施の形態３では、実施の形態１と同様に、グリル扉体７が閉められて調理庫６内の上部加熱手段１５と下部加熱手段１６とによる加熱が開始され、調理庫６内の温度が上昇し被調理物３の調理が始まる。
そして、調理が開始された後、前面操作部８または上面操作部１８に設けられた、例えば調理確認キー（図示省略）による操作信号が制御手段１４に入力されると、撮影手段１２が作動するのと連動して庫内照明２３が点灯し、調理庫６内に収容された被調理物３を照射するので、調理庫６の天面内側に設けられた鏡体２１に写された調理庫６内に収容された被調理物３を撮影手段１２がしっかりと撮影することができる。
撮影手段１２の撮影画像の無線信号は制御手段１４に送られ、制御手段１４は受信して画像信号をＬＣＤ駆動回路１０６に送り、ＬＣＤ駆動回路１０６は液晶表示手段１１に被調理物３の画像を表示させ、その画像を表示窓１０から見ることができるので、被調理物３の調理状態を確認でき、それによって調理時間の延長や短縮の操作が行え、調理の出来具合に対する使用者の不満を減らすことができ、調理の出来具合に影響を与えない使い勝手の良い加熱調理器を得ることができる。
【００２０】
なお、本実施の形態３では、庫内照明２３を撮影手段１２の動作と連動して点灯としたが、連動させず、照明点灯キーを設けて点灯させるようにしてもよい。
【００２１】
実施の形態４．
図８は本発明の実施の形態４の加熱調理器の鏡体を遮蔽した状態の右断面図、図９は同加熱調理器の鏡体の遮蔽を外した状態の右断面図である。
この実施の形態４は、実施の形態３を改良したものである。
図８、図９において、実施の形態３と同様の構成は同一符号を付して重複した構成の説明を省略し、実施の形態３と相違する構成について説明する。
この実施の形態４では、実施の形態３と同様に、グリル扉体７に撮影手段１２を設け、調理庫６の天面内側に鏡体２２を設け、調理庫６の天面外側に庫内照明２３を設け、庫内照明２３の下になる調理庫６の天面部分には複数の小孔を開け、光が透過するようにしているが、さらに鏡体２２を遮蔽する鏡体遮蔽手段２３を調理庫６の天面部分に回動可能に設け、その鏡体遮蔽手段２４を回動する例えばモーターからなる鏡体回動手段２５を調理庫６の天面部分に設けるようにしたものである。
【００２２】
この実施の形態４では、実施の形態１と同様に、グリル扉体７が閉められて調理庫６内の上部加熱手段１５と下部加熱手段１６とによる加熱が開始され、調理庫６内の温度が上昇し被調理物３の調理が始まる。
そして、調理が開始された後、前面操作部８または上面操作部１８に設けられた、例えば調理確認キー（図示省略）による操作信号が制御手段１４に入力されると、撮影手段１２が作動するのと連動して庫内照明２３が点灯し、さらに調理庫６の天面内側に設けられた鏡体２２を遮蔽している鏡体遮蔽手段２４が鏡体回動手段２５により回動して、図９に示すように鏡体２１部分から外れ、調理庫６内に収容された被調理物３を照射するので、調理庫６の天面内側に設けられた鏡体２１に写された調理庫６内に収容された被調理物３を撮影手段１２がしっかりと撮影することができる。
【００２３】
撮影手段１２の撮影画像の無線信号は制御手段１４に送られ、制御手段１４は受信して画像信号をＬＣＤ駆動回路１０６に送り、ＬＣＤ駆動回路１０６は液晶表示手段１１に被調理物３の画像を表示させ、その画像を表示窓１０から見ることができるので、被調理物３の調理状態を確認でき、それによって調理時間の延長や短縮の操作が行え、調理の出来具合に対する使用者の不満を減らすことができ、調理の出来具合に影響を与えない使い勝手の良い加熱調理器を得ることができる。
また、調理庫６の天面内側に設けられた鏡体２２は常時は鏡体遮蔽手段２４によって遮蔽され、撮影手段１２が作動するときに鏡体回動手段２５により回動して、鏡体２１部分から外れるようにしているので、鏡体２２の汚れが防止される。
【００２４】
実施の形態５．
図１０は本発明の実施の形態５の加熱調理器のグリル扉体を閉じた状態の右断面図である。
この実施の形態５は、実施の形態３を改良したものである。
図１０において、実施の形態３と同様の構成は同一符号を付して重複した構成の説明を省略し、実施の形態３と相違する構成について説明する。
上記実施の形態３は撮影手段１２がグリル扉体７に設けられていたが、この実施の形態５では、撮影手段２６が調理庫６の天面部分に設けられている点で実施の形態３と相違するものである。
即ち、この実施の形態５では、調理庫６の天面部分に開口を設け、その開口周縁に光透過性の耐熱ガラス２７の外周縁部を例えばシリコン系接着剤で接着させ、その開口を耐熱ガラス２７で覆うように封止する。そして、調理庫６の天面部分で耐熱ガラス２７の外側に撮影手段２６を配置するようにしたものである。
その撮影手段２６の出力側は制御手段１４に無線ではなく有線で接続されている。
なお、実施の形態３と同様に、調理庫６の天面外側に庫内照明２３を設け、庫内照明２３の下になる調理庫６の天面部分には複数の小孔を開け、光が透過するようにしている。
【００２５】
この実施の形態５では、調理が開始された後、前面操作部８または上面操作部１８に設けられた、例えば調理確認キー（図示省略）よる操作信号が制御手段１４に入力されると、撮影手段２６が作動するのと連動して庫内照明２３が点灯し、調理庫６の天面外側に設けた庫内照明２３は調理庫６内に収容された被調理物３を照射し、撮影手段２６も調理庫６の天面外側に設けられているので、調理庫６内に収容された被調理物３を撮影手段２６がしっかりと撮影することができる。
撮影手段２６の撮影画像の無線信号は制御手段１４に送られ、制御手段１４は受信して画像信号をＬＣＤ駆動回路１０６に送り、ＬＣＤ駆動回路１０６は液晶表示手段１１に被調理物３の画像を表示させ、その画像を表示窓１０から見ることができるので、被調理物３の調理状態を確認でき、それによって調理時間の延長や短縮の操作が行え、調理の出来具合に対する使用者の不満を減らすことができ、調理の出来具合に影響を与えない使い勝手の良い加熱調理器を得ることができる。
【００２６】
実施の形態６．
図１１は本発明の実施の形態６の加熱調理器の耐熱ガラスを遮蔽した状態の右断面図、図１２は同加熱調理器の耐熱ガラスの遮蔽を外した状態の右断面図である。
この実施の形態６は、実施の形態５を改良したものである。
図１１、図１２において、実施の形態５と同様の構成は同一符号を付して重複した構成の説明を省略し、実施の形態５と相違する構成について説明する。
この実施の形態６では、実施の形態５と同様に、調理庫６の天面部分に撮影手段２６を設け、調理庫６の天面外側に庫内照明２３を設け、庫内照明２３の下になる調理庫６の天面部分には複数の小孔を開け、光が透過するようにしているが、さらに耐熱ガラス２６を遮蔽する耐熱ガラス遮蔽手段２８を調理庫６の天面部分に回動可能に設け、その耐熱ガラス遮蔽手段２８を回動する例えばモーターからなる耐熱ガラス回動手段２９を調理庫６の天面部分に設けるようにしたものである。
【００２７】
この実施の形態６では、調理が開始された後、前面操作部８または上面操作部１７に設けられた、例えば調理確認キーによる操作信号が制御手段１４に入力されると、撮影手段２６が作動するのと連動し庫内照明２３が点灯し、さらに調理庫６の天面開口を封止している耐熱ガラス２７を遮蔽している耐熱ガラス遮蔽手段２８が耐熱ガラス回動手段２９により回動して、図１２に示すように耐熱ガラス２６部分から外れ、調理庫６内に収容された被調理物３を照射するので、調理庫６内に収容された被調理物３を撮影手段１２がしっかりと撮影することができる。
また、調理庫６の天面外側に設けられた耐熱ガラス２７は常時は耐熱ガラス遮蔽手段２８によって遮蔽され、撮影手段１２が作動するときに耐熱ガラス回動手段２９により回動して、耐熱ガラス２７部分から外れるようにしているので、耐熱ガラス２７の汚れが防止される。
それ以外の作用、効果は実施の形態５と同じであるので、説明を省略する。
【産業上の利用可能性】
【００２８】
以上のように、本発明の実施の形態１〜６にかかる加熱調理器は調理状態が確認出来るので、調理時間の延長や短縮の操作が行え、調理の出来具合に対する使用者の不満を減らすことができ、調理の出来具合に影響が少ない使い勝手の良い加熱調理器とすることができるので、家庭用の調理庫を備えた加熱調理器も利用できる。
【図面の簡単な説明】
【００２９】
【図１】本発明の実施の形態１の加熱調理器の全体構成を示す斜視図。
【図２】同加熱調理器の全体構成を示す右断面図。
【図３】同加熱調理器のグリル扉体を閉じた状態の右断面図。
【図４】同加熱調理器の表示窓の部分の断面図。
【図５】同加熱調理器の電気的構成を示すブロック図。
【図６】本発明の実施の形態２の加熱調理器の全体構成を示す斜視図。
【図７】本発明の実施の形態３の加熱調理器のグリル扉体を閉じた状態の右断面図。
【図８】本発明の実施の形態４の加熱調理器の鏡体を遮蔽した状態の右断面図。
【図９】同加熱調理器の鏡体の遮蔽を外した状態の右断面図。
【図１０】本発明の実施の形態５の加熱調理器のグリル扉体を閉じた状態の右断面図。
【図１１】本発明の実施の形態６の加熱調理器の耐熱ガラスを遮蔽した状態の右断面図。
【図１２】同加熱調理器の耐熱ガラスの遮蔽を外した状態の右断面図。
【符号の説明】
【００３０】
１  加熱調理器本体、２  トッププレート、３  被調理物、４  グリル網、５  グリル皿、６  調理庫、７  グリル扉体、８  前面操作部、９  排気口カバー、１０  表示窓、１１  表示手段、１２  撮影手段、１３  加熱手段、１４  制御手段、１５  上部加熱手段、１６  下部加熱手段、１７  枠体、１８  上面操作部、１９  温度検知手段。
【図１】
2010040441.tif 000003
【図２】
2010040441.tif 000004
【図３】
2010040441.tif 000005
【図４】
2010040441.tif 000006
【図５】
2010040441.tif 000007
【図６】
2010040441.tif 000008
【図７】
2010040441.tif 000009
【図８】
2010040441.tif 000010
【図９】
2010040441.tif 000011
【図１０】
2010040441.tif 000012
【図１１】
2010040441.tif 000013
【図１２】
2010040441.tif 000014